(57)【要約】    【課題】  滑らかで良質な動画表示が得られるようにした場合であっても小型化が容易な構造をもったプロジェクタを提供する。    【解決手段】  光源装置１１０からの照明光束を２つの照明光束に分離する偏光分離プリズム１３０Ａ及び２つの照明光束を被照明領域側で重畳させるように構成されたシリンドリカルレンズ１４０の作用により、液晶表示装置４００Ｒ，４００Ｇ，４００Ｂの各画像形成領域上で、第１の方向については画像形成領域の一部を、第２の方向については画像形成領域の全体を照明するような断面形状を有する照明光束を照射し、この照明光束を、回転プリズム７７０によって液晶表示装置４００Ｒ，４００Ｇ，４００Ｂの画面書込み周波数に同期して画像形成領域上で第１の方向に沿って走査するプロジェクタ。【選択図】  図１
2005221945.tif 000002
【特許請求の範囲】
【請求項１】
被照明領域側に略平行な照明光束を射出する光源装置、この光源装置からの照明光束のうち一方の偏光成分に係る照明光束を透過し他方の偏光成分に係る照明光束を反射する偏光分離面及びこの偏光分離面からの他方の偏光成分に係る照明光束を照明光軸に平行な方向に向けて反射する反射面を有する偏光分離プリズム、並びに偏光分離された２つの照明光束を被照明領域側で重畳させるように照明光軸に垂直な第１の方向に屈折力を有するとともに照明光軸及び第１の方向に垂直な第２の方向には屈折力を有しないシリンドリカルレンズを有し、照明光束を照射する対象である電気光学変調装置の画像形成領域上で、前記第１の方向については画像形成領域の一部を、前記第２の方向については画像形成領域の全体を照明するような断面形状を有する照明光束を照射する照明装置と、
この照明装置からの照明光束を画像情報に応じて変調する電気光学変調装置と、
この電気光学変調装置によって変調された光束を投写する投写光学系と、
前記照明装置と前記電気光学変調装置との間に配置され、照明光束を前記電気光学変調装置の画面書込み周波数に同期して画像形成領域上で前記第１の方向に沿って走査する走査手段とを備えたことを特徴とするプロジェクタ。
【請求項２】
請求項１に記載のプロジェクタにおいて、
前記シリンドリカルレンズは、偏光分離された２つの照明光束を前記電気光学変調装置の画像形成領域上近傍で重畳するよう構成されてなることを特徴とするプロジェクタ。
【請求項３】
請求項１又は２に記載のプロジェクタにおいて、
前記偏光分離プリズムにおける偏光分離面からの照明光束の光射出面又は反射面からの照明光束の光射出面にはλ／２板が配置されてなることを特徴とするプロジェクタ。
【請求項４】
請求項１〜３のいずれかに記載のプロジェクタにおいて、
前記照明装置と前記電気光学変調装置との間に、前記照明装置からの照明光束を複数の色光に分離するための色分離光学系をさらに備え、
前記電気光学変調装置として、前記色分離光学系からの複数の色光をそれぞれの色光に対応する画像情報に応じて変調する複数の電気光学変調装置が設けられていることを特徴とするプロジェクタ。
【請求項５】
請求項４に記載のプロジェクタにおいて、
前記走査手段は、前記照明装置と前記色分離光学系との間の、前記電気光学変調装置と略共役の位置に配置され、照明光軸に垂直な回転軸を有する回転プリズムを含み、
この回転プリズムは、その回転によって、前記電気光学変調装置上で光照射領域と光非照射領域とが前記電気光学変調装置の画面書込み周波数に同期して順次スクロールされるように構成されていることを特徴とするプロジェクタ。
【請求項６】
請求項１〜５のいずれかに記載のプロジェクタにおいて、
前記光源装置は、楕円面リフレクタと、この楕円面リフレクタの第１焦点近傍に発光中心を有する発光管と、平行化レンズとを有することを特徴とするプロジェクタ。
【請求項７】
請求項６に記載のプロジェクタにおいて、
前記偏光分離プリズムと前記平行化レンズとは一体化されてなることを特徴とするプロジェクタ。
【請求項８】
請求項１〜５のいずれかに記載のプロジェクタにおいて、
前記光源装置は、放物面リフレクタと、この放物面リフレクタの焦点近傍に発光中心を有する発光管とを有することを特徴とするプロジェクタ。
【請求項９】
請求項６〜８のいずれかに記載のプロジェクタにおいて、
前記発光管には、前記発光管から被照明領域側に射出される光を前記楕円面リフレクタ又は前記放物面リフレクタに向けて反射する反射手段が設けられていることを特徴とするプロジェクタ。
【発明の詳細な説明】
【技術分野】
【０００１】
本発明はプロジェクタに関する。 
【背景技術】
【０００２】
図７は、従来のプロジェクタを説明するために示す図である。図７（ａ）は従来のプロジェクタの光学系を示す図であり、図７（ｂ）及び図７（ｃ）はこのような従来のプロジェクタの問題点を説明するための図である。
このプロジェクタ９００Ａにおいては、電気光学変調装置として用いる液晶表示装置４００Ｒ，４００Ｇ，４００Ｂが、図７（ｂ）に示すような輝度特性を有するホールド型の表示装置であるため、図７（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図８は、従来の他のプロジェクタを説明するために示す図である。図８（ａ）は従来の他のプロジェクタの光学系を示す図であり、図８（ｂ）及び図８（ｃ）はこのような従来の他のプロジェクタに用いられる光シャッタを示すための図である。
このプロジェクタ９００Ｂにおいては、図８（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、光シャッタにより間欠的に光を遮断するようにしているため、光利用効率が大幅に低下するという問題があった。
【０００５】
本発明は、このような問題を解決するためになされたもので、滑らかで良質な動画表示が得られるようにした場合であっても光利用効率が大幅に低下しないプロジェクタを提供することを目的とする。
【課題を解決するための手段】
【０００６】
（１）本発明のプロジェクタは、被照明領域側に略平行な照明光束を射出する光源装置、この光源装置からの照明光束のうち一方の偏光成分に係る照明光束を透過し他方の偏光成分に係る照明光束を反射する偏光分離面及びこの偏光分離面からの他方の偏光成分に係る照明光束を照明光軸に平行な方向に向けて反射する反射面を有する偏光分離プリズム、並びに偏光分離された２つの照明光束を被照明領域側で重畳させるように照明光軸に垂直な第１の方向に屈折力を有するとともに照明光軸及び第１の方向に垂直な第２の方向には屈折力を有しないシリンドリカルレンズを有し、照明光束を照射する対象である電気光学変調装置の画像形成領域上で、前記第１の方向については画像形成領域の一部を、前記第２の方向については画像形成領域の全体を照明するような断面形状を有する照明光束を照射する照明装置と、この照明装置からの照明光束を画像情報に応じて変調する電気光学変調装置と、この電気光学変調装置によって変調された光束を投写する投写光学系と、前記照明装置と前記電気光学変調装置との間に配置され、照明光束を前記電気光学変調装置の画面書込み周波数に同期して画像形成領域上で前記第１の方向に沿って走査する走査手段とを備えたことを特徴とする。
【０００７】
このため、本発明のプロジェクタによれば、電気光学変調装置の画像形成領域における縦横方向のうち第１の方向については画像形成領域の一部を、第２の方向については画像形成領域の全体を照明するような断面形状（すなわち第１の方向に圧縮された断面形状）を有する照明光束を、電気光学変調装置の画面書込み周波数に同期して画像形成領域上で第１の方向に沿って走査することができるようになるため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【０００８】
また、本発明のプロジェクタによれば、上記したように第１の方向に圧縮された断面形状を有する照明光束を、上記したような偏光分離プリズム及びシリンドリカルレンズを有する照明装置の機能によって実現しているため、光シャッタを用いる場合とは異なり、光源装置からの照明光束を無駄無く電気光学変調装置の画像形成領域に導くことができるようになり、光利用効率が大幅に低下することがなくなる。
【０００９】
このため、本発明のプロジェクタは、滑らかで良質な動画表示が得られるようにした場合であっても光利用効率が大幅に低下しないプロジェクタとなり、本発明の目的が達成される。
【００１０】
本発明のプロジェクタにおいて、電気光学変調装置上に照射される照明光束は、電気光学変調装置の画像形成領域における縦横方向のうち第１の方向については画像形成領域の一部を、第２の方向については画像形成領域の全体を照明するような断面形状（すなわち第１の方向に圧縮された断面形状）を有するが、この圧縮の程度は、照明装置を構成する光学系の収差やシリンドリカルレンズの焦点位置を電気光学変調装置の画像形成領域上からどれ位偏倚させるかによって適宜調整することができる。
【００１１】
なお、電気光学変調装置上に照射される照明光束は、電気光学変調装置の画像形成領域上で第１の方向に沿って走査されるため、第１の方向に沿った光強度分布の不均一さは問題にならなくなる。
また、電気光学変調装置上に照射される照明光束は、プロジェクタの光源装置として広く用いられている光源装置を用いることで、電気光学変調装置上の第２の方向に沿った光強度分布（第１の方向に沿った積分値）を比較的均一なものとすることができる。
このため、本発明の照明装置を用いることによって画像品質が低下することもなくなる。
【００１２】
（２）上記（１）に記載のプロジェクタにおいては、前記シリンドリカルレンズは、偏光分離された２つの照明光束を前記電気光学変調装置の画像形成領域上近傍で重畳するよう構成されてなることが好ましい。
【００１３】
このように構成することにより、電気光学変調装置の画像形成領域上で、第１の方向については画像形成領域の一部を、第２の方向については画像形成領域の全体を照明するような断面形状を有する照明光束を照射することができるようになる。
【００１４】
（３）上記（１）又は（２）に記載のプロジェクタにおいては、前記偏光分離プリズムにおける偏光分離面からの照明光束の光射出面又は反射面からの照明光束の光射出面にはλ／２板が配置されてなることが好ましい。
【００１５】
本発明は、偏光光を用いる液晶表示装置や偏光光を用いる必要のないマイクロミラーデバイスのいずれの電気光学変調装置を用いたプロジェクタにも好適に用いることができるが、このように構成することにより、偏光分離プリズムから射出する照明光束の偏光成分を一方の偏光成分又は他方の偏光成分のいずれかの偏光成分の照明光束にすることができるため、偏光光を用いる液晶表示装置を用いたプロジェクタにさらに好適に用いることができるようになる。
【００１６】
（４）上記（１）〜（３）のいずれかに記載のプロジェクタにおいては、前記照明装置と前記電気光学変調装置との間に、前記照明装置からの照明光束を複数の色光に分離するための色分離光学系をさらに備え、前記電気光学変調装置として、前記色分離光学系からの複数の色光をそれぞれの色光に対応する画像情報に応じて変調する複数の電気光学変調装置が設けられていることが好ましい。
【００１７】
このように構成することにより、滑らかで良質な動画表示が得られるようにした場合であっても光利用効率が大幅に低下しないプロジェクタを、画像品質の優れた（例えば３板式の）フルカラープロジェクタとすることができるようになる。
【００１８】
（５）上記（４）に記載のプロジェクタにおいては、前記走査手段は、前記照明装置と前記色分離光学系との間の、前記電気光学変調装置と略共役の位置に配置され、照明光軸に垂直な回転軸を有する回転プリズムを含み、この回転プリズムは、その回転によって、前記電気光学変調装置上で光照射領域と光非照射領域とが前記電気光学変調装置の画面書込み周波数に同期して順次スクロールされるように構成されていることが好ましい。
【００１９】
このように構成することにより、フルカラープロジェクタにおける各電気光学変調装置の画像形成領域において、光照射領域及び光非照射領域の円滑なスクロール動作が実現できるようになる。
【００２０】
上記（５）に記載のプロジェクタにおいては、前記回転プリズムの光透過面には、減反射膜が形成されてなることが好ましい。このように構成することにより、回転プリズムにおける光透過率が向上するため光利用効率の低下を最小限のものにすることができるとともに、迷光レベルが低減しコントラストが向上する。
【００２１】
（６）上記（１）〜（５）のいずれかに記載のプロジェクタにおいては、前記光源装置は、楕円面リフレクタと、この楕円面リフレクタの第１焦点近傍に発光中心を有する発光管と、平行化レンズとを有することが好ましい。
【００２２】
このように構成することにより、放物面リフレクタを用いた光源装置と比較して、よりコンパクトな光源装置を実現することができる。
【００２３】
（７）上記（６）に記載のプロジェクタにおいては、前記偏光分離プリズムと前記平行化レンズとは一体化されてなることが好ましい。
【００２４】
このように構成することにより、平行化レンズの光射出面及び偏光分離プリズムの光入射面における反射損をなくすることができ、光利用効率を向上させることができる。また、プロジェクタの組立工程において、平行化レンズと偏光分離プリズムとの位置精度の劣化や組み立て工数の増加を抑制することができる。
【００２５】
上記（６）のいずれかに記載のプロジェクタにおいては、前記偏光分離プリズムと前記シリンドリカルレンズとは一体化されてなることも好ましい。
【００２６】
このように構成することにより、偏光分離プリズムの光射出面及びシリンドリカルレンズの光入射面における反射損をなくすることができ、光利用効率を向上させることができる。また、プロジェクタの組立工程において、偏光分離プリズムとシリンドリカルレンズとの位置精度の劣化や組み立て工数の増加を抑制することができる。
【００２７】
（８）上記（１）〜（５）のいずれかに記載のプロジェクタにおいては、前記光源装置は、放物面リフレクタと、この放物面リフレクタの焦点近傍に発光中心を有する発光管とを有することが好ましい。
【００２８】
このように構成することにより、平行化レンズを用いることなく略平行な照明光束を得ることができるため、平行化レンズを必要とする楕円面リフレクタを用いた光源装置と比較して、部品点数の少ない光源装置を実現することができる。
【００２９】
（９）上記（６）〜（８）のいずれかに記載のプロジェクタにおいては、前記発光管には、前記発光管から被照明領域側に射出される光を前記楕円面リフレクタ又は前記放物面リフレクタに向けて反射する反射手段が設けられていることが好ましい。
【００３０】
このように構成することにより、発光管から被照明領域側に放射される光が楕円面リフレクタ又は放物面リフレクタに向けて反射されるため、発光管の被照明領域側端部を覆うような大きさに楕円面リフレクタ又は放物面リフレクタの大きさを設定することを必要とせず、楕円面リフレクタ又は放物面リフレクタの小型化を図ることができ、結果としてプロジェクタの小型化を図ることができる。
また、楕円面リフレクタ又は放物面リフレクタの小型化を図ることができることにより、楕円面リフレクタから楕円面リフレクタの第２焦点に向けて集束するビームの集束角やビームスポットを小さくすることができ、放物面リフレクタから後段の光学系に射出する光ビームのビーム径を小さくすることができるため、平行化レンズの大きさ、偏光分離プリズムの大きさ、色分離光学系の大きさなどをさらに小さくすることができ、プロジェクタのさらなる小型化を図ることができる。
【発明を実施するための最良の形態】
【００３１】
以下、本発明のプロジェクタについて、図に示す実施の形態に基づいて説明する。
【００３２】
〔実施形態１〕
図１は、本発明の実施形態１に係るプロジェクタの光学系を示す図である。図１（ａ）は光学系を上面から見た図であり、図１（ｂ）は光学系を側面から見た図である。図２は、実施形態１の照明装置を説明するために示す図である。図２（ａ）は照明装置を側面から見た図であり、図２（ｂ）は液晶表示装置における照明光束の光強度分布を等高線で示す図であり、図２（ｃ）は図２（ｂ）中、仮想線ＬＨ１，ＬＨ２上における照明光束の光強度分布をグラフで示す図であり、図２（ｄ）は図２（ｂ）中、仮想線ＬＶ１，ＬＶ２，ＬＶ３上における照明光束の光強度分布をグラフで示す図である。なお、以下の説明においては、互いに直交する３つの方向をそれぞれｚ方向（図１（ａ）における照明光軸方向）、ｘ方向（図１（ａ）における紙面に平行かつｚ軸に直交する方向）及びｙ方向（図１（ａ）における紙面に垂直かつｚ軸に直交する方向）とする。
【００３３】
実施形態１に係るプロジェクタ１０００Ａは、図１（ａ）及び図１（ｂ）に示すように、照明装置１００Ａと、照明装置１００Ａからの照明光束を赤、緑及び青の３つの色光に分離する色分離光学系２００Ａと、色分離光学系２００Ａで分離された３つの色光のそれぞれを画像情報に応じて変調する電気光学変調装置としての３つの液晶表示装置４００Ｒ，４００Ｇ，４００Ｂと、これら３つの液晶表示装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３４】
照明装置１００Ａは、図２（ａ）に示すように、被照明領域側に略平行な照明光束を射出する光源装置１１０、光源装置１１０からの照明光束のうち一方の偏光成分に係る照明光束（例えばＰ偏光光束）を透過し他方の偏光成分に係る照明光束（例えばＳ偏光光束）を反射する偏光分離面１３２及び偏光分離面１３２からの他方の偏光成分（例えばＳ偏光光束）に係る照明光束を照明光軸に平行な方向に向けて反射する反射面１３４を有する偏光分離プリズム１３０Ａ、並びに偏光分離された２つの照明光束を被照明領域側で重畳させるように照明光軸に垂直な第１の方向に屈折力を有するとともに照明光軸及び第１の方向に垂直な第２の方向には屈折力を有しないシリンドリカルレンズ１４０を有している。
【００３５】
偏光分離プリズム１３０Ａは、内部に偏光分離面１３２を含む偏光キューブプリズムと、内部に反射面１３４を含むキューブプリズムからなっている。  
そして、照明装置１００Ａは、液晶表示装置４００Ｒ，４００Ｇ，４００Ｂの各画像形成領域上に、図２（ｂ）〜図２（ｄ）に示すように、第１の方向（図２（ｂ）の上下方向）については画像形成領域の一部を、第２の方向（図２（ｂ）の左右方向）については画像形成領域の全体を照明するような断面形状を有する照明光束を照射する。
【００３６】
光源装置１１０は、楕円面リフレクタ１１４と、楕円面リフレクタ１１４の第１焦点近傍に発光中心を有する発光管１１２と、楕円面リフレクタ１１４からの集束光を略平行な光に変換する平行化レンズ１２０とを有している。発光管１１２には、発光管１１２から被照明領域側に射出される光を楕円面リフレクタ１１４に向けて反射する反射手段としての補助ミラー１１６が設けられている。
【００３７】
色分離光学系２００Ａとしては、照明装置１００Ａから液晶表示装置４００Ｒ，４００Ｇ，４００Ｂまでの光路長が等しい等光路光学系を用いている。
【００３８】
液晶表示装置４００Ｒ,４００Ｇ,４００Ｂとしては、「ｙ軸方向に沿った縦寸法：ｘ軸方向に沿った横寸法＝９：１６の長方形」の平面形状を有するワイドビジョン用の液晶表示装置を用いている。
【００３９】
図３は、回転プリズムの回転と液晶表示装置上の照明状態との関係を示す図である。図３（ａ）は回転プリズムを回転軸に沿って見たときの断面図である。図３（ｂ）は回転プリズムを照明光軸に沿って見たときの図である。図３（ｃ）は液晶表示装置の画像形成領域上における照明光束の照射状態を示す図である。
【００４０】
実施形態１に係るプロジェクタ１０００Ａにおいては、図１（ａ）及び図１（ｂ）に示すように、走査手段としての回転プリズム７７０は、照明装置１００Ａと液晶表示装置４００Ｒ，４００Ｇ，４００Ｂとの間の、液晶表示装置４００Ｒ，４００Ｇ，４００Ｂと共役の位置に配置されている。そして、その回転によって、照明光束を液晶表示装置４００Ｒ，４００Ｇ，４００Ｂの画面書込み周波数に同期して液晶表示装置４００Ｒ，４００Ｇ，４００Ｂの画像形成領域上で第１の方向（図３（ｃ）の上下方向）に沿って走査する機能を有している。
【００４１】
すなわち、実施形態１に係るプロジェクタ１０００Ａにおいては、照明光軸上における発光管１１２の発光中心の像Ｐは、図３（ａ）及び図３（ｂ）に示すように、回転プリズム７７０が回転するのに従って、回転プリズム７７０の回転軸７７２を中心にして上下方向にスクロールされる。この結果、図３（ｃ）に示すように、回転プリズム７７０が回転すると、液晶表示装置４００Ｒ，４００Ｇ，４００Ｂの画像形成領域においては光照射領域と光非照射領域とが順次交互にスクロールされるようになるのである。
【００４２】
このため、実施形態１に係るプロジェクタ１０００Ａによれば、液晶表示装置４００Ｒ，４００Ｇ，４００Ｂの各画像形成領域における縦横方向のうち第１の方向（図３（ｃ）の上下方向）については画像形成領域の一部を、第２の方向（図３（ｃ）の左右方向）については画像形成領域の全体を照明するような断面形状（すなわち第１の方向に圧縮された断面形状）を有する照明光束を、液晶表示装置４００Ｒ，４００Ｇ，４００Ｂの画面書込み周波数に同期して各画像形成領域上で第１の方向に沿って走査することができるようになるため、液晶表示装置４００Ｒ，４００Ｇ，４００Ｂの各画像形成領域においては光照射領域と光非照射領域とが順次交互にスクロールされるようになる。その結果、尾引き現象が緩和され、滑らかで良質な動画表示が得られるプロジェクタとなる。
【００４３】
また、実施形態１に係るプロジェクタ１０００Ａによれば、第１の方向に圧縮された断面形状を有する照明光束を、上記したような偏光分離プリズム１３０Ａ及びシリンドリカルレンズ１４０を有する照明装置１００Ａの機能によって実現しているため、光シャッタを用いる場合とは異なり、光源装置１１０からの照明光束を無駄無く液晶表示装置４００Ｒ，４００Ｇ，４００Ｂの各画像形成領域に導くことができるようになり、光利用効率が大幅に低下することがなくなる。
【００４４】
このため、実施形態１に係るプロジェクタ１０００Ａは、滑らかで良質な動画表示が得られるようにした場合であっても光利用効率が大幅に低下しないプロジェクタとなる。
【００４５】
実施形態１に係るプロジェクタ１０００Ａにおいては、液晶表示装置４００Ｒ，４００Ｇ，４００Ｂ上に照射される照明光束は、液晶表示装置４００Ｒ，４００Ｇ，４００Ｂの各画像形成領域における縦横方向のうち第１の方向については画像形成領域の一部を、第２の方向については画像形成領域の全体を照明するような断面形状（すなわち第１の方向に圧縮された断面形状）を有するが、この圧縮の程度は、照明装置１００Ａを構成する光学系の収差やシリンドリカルレンズ１４０の焦点位置を液晶表示装置４００Ｒ，４００Ｇ，４００Ｂの画像形成領域上からどれ位偏倚させるかによって適宜調整することができる。
【００４６】
実施形態１に係るプロジェクタ１０００Ａにおいては、液晶表示装置４００Ｒ，４００Ｇ，４００Ｂ上に照射される照明光束は、液晶表示装置４００Ｒ，４００Ｇ，４００Ｂの各画像形成領域上で第１の方向に沿って走査されるため、第１の方向に沿った光強度分布の不均一さは問題にならなくなる。また、液晶表示装置４００Ｒ，４００Ｇ，４００Ｂ上に照射される照明光束は、プロジェクタの光源装置として広く用いられている光源装置１１０を用いることで、液晶表示装置４００Ｒ，４００Ｇ，４００Ｂ上の第２の方向に沿った光強度分布（第１の方向に沿った積分値）を比較的均一なものとすることができる。このため、実施形態１に係るプロジェクタにおける照明装置１００Ａを用いることによって画像品質が低下することもない。
【００４７】
実施形態１に係るプロジェクタ１０００Ａにおいては、シリンドリカルレンズ１４０は、偏光分離された２つの照明光束を液晶表示装置４００Ｒ，４００Ｇ，４００Ｂの画像形成領域上近傍で重畳するよう構成されている。この場合、回転プリズム７７０は液晶表示装置４００Ｒ，４００Ｇ，４００Ｂの共役の位置に配置されることになるため、シリンドリカルレンズ１４０は、偏光分離された２つの照明光束を回転プリズム７７０の回転軸７７２近傍に重畳することになる。このため、液晶表示装置４００Ｒ，４００Ｇ，４００Ｂの各画像形成領域上で、第１の方向については画像形成領域の一部を、第２の方向については画像形成領域の全体を照明するような断面形状を有する照明光束を照射することができるようになる。
【００４８】
実施形態１に係るプロジェクタ１０００Ａにおいては、偏光分離プリズム１３０Ａにおける反射面１３４からの照明光束の光射出面にはλ／２板１３６が配置されている。このため、偏光分離プリズム１３０Ａから射出する照明光束の偏光成分を一方の偏光成分の偏光光束（例えばＰ偏光光束）にすることができるため、偏光光を用いる液晶表示装置を用いたプロジェクタに好適に用いることができる。
なお、実施形態１に係るプロジェクタ１０００Ａにおいては、偏光分離プリズム１３０Ａにおける偏光分離面１３２からの照明光束の光射出面にλ／２板を配置するようにすることもできる。
【００４９】
実施形態１に係るプロジェクタ１０００Ａは、照明装置１００Ａと液晶表示装置４００Ｒ，４００Ｇ，４００Ｂとの間に、照明装置１００Ａからの照明光束を複数の色光に分離するための色分離光学系２００Ａをさらに備えている。このため、滑らかで良質な動画表示が得られるようにした場合であっても光利用効率が大幅に低下しないプロジェクタを、画像品質の優れた（例えば３板式の）フルカラープロジェクタとすることができるようになる。
【００５０】
実施形態１に係るプロジェクタ１０００Ａにおいては、回転プリズム７７０は、上記したように、照明装置１００Ａと色分離光学系２００Ａとの間の、液晶表示装置４００Ｒ，４００Ｇ，４００Ｂと共役の位置に配置され、照明光軸に垂直な回転軸７７２を有し、その回転によって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次スクロールされるように構成されている。このため、フルカラープロジェクタにおける液晶表示装置４００Ｒ，４００Ｇ，４００Ｂの各画像形成領域において、光照射領域及び光非照射領域の円滑なスクロール動作が実現できるようになる。
【００５１】
実施形態１に係るプロジェクタ１０００Ａにおいては、回転プリズム７７０の光透過面には、減反射膜が形成されている。このため、回転プリズム７７０における光透過率が向上するため光利用効率の低下を最小限のものにすることができるとともに、迷光レベルが低減しコントラストが向上する。
【００５２】
実施形態１に係るプロジェクタ１０００Ａにおいては、図１（ａ）、図１（ｂ）及び図２（ａ）に示すように、光源装置１１０は、楕円面リフレクタ１１４と、楕円面リフレクタ１１４の第１焦点近傍に発光中心を有する発光管１１２と、平行化レンズ１２０とを有しているため、放物面リフレクタを用いた光源装置と比較して、よりコンパクトな光源装置を実現することができる。
【００５３】
実施形態１に係るプロジェクタ１０００Ａにおいては、図１（ａ）、図１（ｂ）及び図２（ａ）に示すように、発光管１１２には発光管１１２から被照明領域側に射出される光を楕円面リフレクタ１１４に向けて反射する反射手段としての補助ミラー１１６が設けられている。
このため、発光管１１２から被照明領域側に放射される光が楕円面リフレクタ１１４に向けて反射されるため、発光管１１２の被照明領域側端部を覆うような大きさに楕円面リフレクタ１１４の大きさを設定することを必要とせず、楕円面リフレクタ１１４の小型化を図ることができ、プロジェクタ１０００Ａの小型化を図ることができる。また、このことは、平行化レンズ１２０の大きさ、偏光分離プリズム１３０Ａの大きさ、シリンドリカルレンズ１４０の大きさ、色分離光学系２００Ａの大きさなどをさらに小さくすることができることをも意味し、プロジェクタ１０００Ａのさらなる小型化を図ることができる。
【００５４】
〔実施形態２〕
図４は、実施形態２の照明装置を説明するために示す図である。図４（ａ）は照明装置を側面から見た図であり、図４（ｂ）は液晶表示装置における照明光束の光強度分布を等高線で示す図であり、図４（ｃ）は図４（ｂ）中、仮想線ＬＨ１，ＬＨ２上における照明光束の光強度分布をグラフで示す図であり、図４（ｄ）は図４（ｂ）中、仮想線ＬＶ１，ＬＶ２，ＬＶ３上における照明光束の光強度分布をグラフで示す図である。
【００５５】
実施形態２に係るプロジェクタ１０００Ｂ（図示せず。）は、実施形態１に係るプロジェクタ１０００Ａとは、偏光分離プリズムの構成が異なっている。すなわち、実施形態２に係る偏光分離プリズム１３０Ａは、図４（ａ）に示すように、内部に偏光分離面１３２を含む偏光キューブプリズムと、斜面が反射面１３４となっている三角柱プリズムからなっている。
【００５６】
このように、実施形態２に係るプロジェクタ１０００Ｂは、実施形態１に係るプロジェクタ１０００Ａとは、偏光分離プリズム１３０Ｂの構成が実施形態１に係るプロジェクタ１０００Ａのそれとは異なっているが、実施形態１に係るプロジェクタ１０００Ａの場合と同様に、液晶表示装置４００Ｒ，４００Ｇ，４００Ｂの各画像形成領域における縦横方向のうち第１の方向（図３（ｃ）の上下方向）については画像形成領域の一部を、第２の方向（図３（ｃ）の左右方向）については画像形成領域の全体を照明するような断面形状（すなわち第１の方向に圧縮された断面形状）を有する照明光束を、液晶表示装置４００Ｒ，４００Ｇ，４００Ｂの画面書込み周波数に同期して各画像形成領域上で第１の方向に沿って走査することができるようになるため、液晶表示装置４００Ｒ，４００Ｇ，４００Ｂの各画像形成領域においては光照射領域と光非照射領域とが順次交互にスクロールされるようになる。その結果、尾引き現象が緩和され、滑らかで良質な動画表示が得られるプロジェクタとなる。
【００５７】
また、実施形態２に係るプロジェクタ１０００Ｂによれば、第１の方向に圧縮された断面形状を有する照明光束を、上記したような偏光分離プリズム１３０Ｂ及びシリンドリカルレンズ１４０を有する照明装置１００Ｂの機能によって実現しているため、光シャッタを用いる場合とは異なり、光源装置１１０からの照明光束を無駄無く液晶表示装置４００Ｒ，４００Ｇ，４００Ｂの各画像形成領域に導くことができるようになり、光利用効率が大幅に低下することがなくなる。
【００５８】
このため、実施形態２に係るプロジェクタ１０００Ｂは、滑らかで良質な動画表示が得られるようにした場合であっても光利用効率が大幅に低下しないプロジェクタとなる。
【００５９】
〔実施形態３〕
図５は、実施形態３の照明装置を説明するために示す図である。図５（ａ）は照明装置を側面から見た図であり、図５（ｂ）は液晶表示装置における照明光束の光強度分布を等高線で示す図であり、図５（ｃ）は図５（ｂ）中、仮想線ＬＨ１，ＬＨ２上における照明光束の光強度分布をグラフで示す図であり、図５（ｄ）は図５（ｂ）中、仮想線ＬＶ１，ＬＶ２，ＬＶ３上における照明光束の光強度分布をグラフで示す図である。
【００６０】
実施形態３に係るプロジェクタ１０００Ｃ（図示せず。）は、実施形態１に係るプロジェクタ１０００Ａとは、照明装置の構成が異なっている。すなわち、実施形態３に係る照明装置１００Ｃは、図５（ａ）に示すように、偏光分離プリズム１３０Ａと平行化レンズ１２０とが一体化されている。
【００６１】
このように、実施形態３に係るプロジェクタ１０００Ｃは、実施形態１に係るプロジェクタ１０００Ａとは、照明装置１００Ｃの構成が実施形態１に係るプロジェクタ１０００Ａのそれとは異なっているが、実施形態１に係るプロジェクタ１０００Ａの場合と同様に、液晶表示装置４００Ｒ，４００Ｇ，４００Ｂの各画像形成領域における縦横方向のうち第１の方向（図３（ｃ）の上下方向）については画像形成領域の一部を、第２の方向（図３（ｃ）の左右方向）については画像形成領域の全体を照明するような断面形状（すなわち第１の方向に圧縮された断面形状）を有する照明光束を、液晶表示装置４００Ｒ，４００Ｇ，４００Ｂの画面書込み周波数に同期して各画像形成領域上で第１の方向に沿って走査することができるようになるため、液晶表示装置４００Ｒ，４００Ｇ，４００Ｂの各画像形成領域においては光照射領域と光非照射領域とが順次交互にスクロールされるようになる。その結果、尾引き現象が緩和され、滑らかで良質な動画表示が得られるプロジェクタとなる。
【００６２】
また、実施形態３に係るプロジェクタ１０００Ｃによれば、第１の方向に圧縮された断面形状を有する照明光束を、上記したような偏光分離プリズム１３０Ａ及びシリンドリカルレンズ１４０を有する照明装置１００Ｃの機能によって実現しているため、光シャッタを用いる場合とは異なり、光源装置１１０からの照明光束を無駄無く液晶表示装置４００Ｒ，４００Ｇ，４００Ｂの各画像形成領域に導くことができるようになり、光利用効率が大幅に低下することがなくなる。
【００６３】
このため、実施形態３に係るプロジェクタ１０００Ｃは、滑らかで良質な動画表示が得られるようにした場合であっても光利用効率が大幅に低下しないプロジェクタとなる。
【００６４】
また、実施形態３に係るプロジェクタにおいては、平行化レンズ１２０の光射出面及び偏光分離プリズム１３０Ａの光入射面における反射損をなくすることができるため、光利用効率を向上させることができ、プロジェクタの組立工程において、平行化レンズと偏光分離プリズムとの位置精度の劣化や組み立て工数の増加を抑制することができるという効果もある。
【００６５】
〔実施形態４〕
図６は、実施形態４に係るプロジェクタの光学系を示す図である。図６（ａ）は光学系を上面から見た図であり、図６（ｂ）は光学系を側面から見た図である。
【００６６】
実施形態４に係るプロジェクタ１０００Ｄは、色分離光学系の構成が実施形態１に係るプロジェクタ１０００Ａと異なる。すなわち、実施形態４に係るプロジェクタ１０００Ｄの色分離光学系２００Ｂは、図６（ａ）及び図６（ｂ）に示すように、ダブルリレー光学系を用いている。
【００６７】
このように、実施形態４に係るプロジェクタ１０００Ｄは、実施形態１に係るプロジェクタ１０００Ａとは、色分離光学系２００Ｂの構成が実施形態１に係るプロジェクタ１０００Ａのそれとは異なるが、実施形態１に係るプロジェクタ１０００Ａの場合と同様に、液晶表示装置４００Ｒ，４００Ｇ，４００Ｂの各画像形成領域における縦横方向のうち第１の方向（図３（ｃ）の上下方向）については画像形成領域の一部を、第２の方向（図３（ｃ）の左右方向）については画像形成領域の全体を照明するような断面形状（すなわち第１の方向に圧縮された断面形状）を有する照明光束を、液晶表示装置４００Ｒ，４００Ｇ，４００Ｂの画面書き込み周波数に同期して各画像形成領域上で第１の方向に沿って走査することができるようになるため、液晶表示装置４００Ｒ，４００Ｇ，４００Ｂの各画像形成領域においては光照射領域と光非照射領域とが順次交互にスクロールされるようになる。その結果、尾引き現象が緩和され、滑らかで良質な動画表示が得られるプロジェクタとなる。
【００６８】
また、実施形態４に係るプロジェクタ１０００Ｄによれば、第１の方向に圧縮された断面形状を有する照明光束を、上記したような偏光分離プリズム１３０Ａ及びシリンドリカルレンズ１４０を有する照明装置１００Ａの機能によって実現しているため、光シャッタを用いる場合とは異なり、光源装置１１０からの照明光束を無駄無く液晶表示装置４００Ｒ，４００Ｇ，４００Ｂの各画像形成領域に導くことができるようになり、光利用効率が大幅に低下することがなくなる。
【００６９】
このため、実施形態４に係るプロジェクタ１０００Ｄは、滑らかで良質な動画表示が得られるようにした場合であっても光利用効率が大幅に低下しないプロジェクタとなる。
【００７０】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００７１】
（１）上記各実施形態のプロジェクタ１０００Ａ〜１０００Ｄは透過型のプロジェクタであるが、本発明は反射型のプロジェクタにも適用することが可能である。ここで、「透過型」とは、透過型の液晶表示装置等のように光変調手段としての電気光学変調装置が光を透過するタイプであることを意味しており、「反射型」とは、反射型液晶表示装置のように光変調手段としての電気光学変調装置が光を反射するタイプであることを意味している。反射型のプロジェクタにこの発明を適用した場合にも、透過型のプロジェクタと同様の効果を得ることができる。 
【００７２】
（２）上記各実施形態のプロジェクタ１０００Ａ〜１０００Ｄは、電気光学変調装置として液晶表示装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００７３】
（３）上記各実施形態のプロジェクタ１０００Ａ〜１０００Ｄは、走査手段として、回転プリズム７７０を用いているが、本発明はこれに限られず、ガルバノミラーやポリゴンミラーを用いることもできる。
【００７４】
（４）上記各実施形態のプロジェクタ１０００Ａ〜１０００Ｄは、光源装置１１０として、楕円面リフレクタ１１４と、楕円面リフレクタ１１４の第１焦点近傍に発光中心を有する発光管１１２と、平行化レンズ１１８とを有する光源装置を用いたが、本発明はこれに限られず、放物面リフレクタと、放物面リフレクタの焦点近傍に発光中心を有する発光管とを有する光源装置をも好ましく用いることができる。
【図面の簡単な説明】
【００７５】
【図１】実施形態１に係るプロジェクタの光学系を示す図。
【図２】実施形態１の照明装置を説明するために示す図。
【図３】回転プリズムの回転と液晶表示装置上の照明状態との関係を示す図。
【図４】実施形態２の照明装置を説明するために示す図。
【図５】実施形態３の照明装置を説明するために示す図。
【図６】実施形態４に係るプロジェクタの光学系を示す図。
【図７】従来のプロジェクタを説明するために示す図。
【図８】従来の他のプロジェクタを説明するために示す図。
【符号の説明】
【００７６】
１００Ａ，１００Ｂ，１００Ｃ…照明装置、１１０…光源装置、１１２…発光管、１１４…楕円面リフレクタ、１１６…補助ミラー、１２０…平行化レンズ、１３０Ａ，１３０Ｂ…偏光分離プリズム、１３２…偏光分離面、１３４…反射面、１３６…λ／２板、１４０…シリンドリカルレンズ、２００Ａ，２００Ｄ…色分離光学系、７５２…フィールドレンズ、７５４…リレーレンズ、７７０…回転プリズム、７７２…回転軸、４００Ｒ，４００Ｇ，４００Ｂ…液晶表示装置、５００…クロスダイクロイックプリズム、６００…投写光学系、９００Ａ，９００Ｂ，１０００Ａ，１０００Ｄ…プロジェクタ、ＳＣＲ…スクリーン
【図１】
2005221945.tif 000003
【図６】
2005221945.tif 000004
【図７】
2005221945.tif 000005
【図８】
2005221945.tif 000006
【図２】
2005221945.tif 000007
【図３】
2005221945.tif 000008
【図４】
2005221945.tif 000009
【図５】
2005221945.tif 000010